(57)【要約】      （修正有）【課題】押圧の荷重程度が増加せず、破損した導通端子やフレキシブルフラットケーブルコネクタを座体から直接取り外して交換や修理ができる、プッシュスイッチの改良構造を提供する。【解決手段】プッシュスイッチの改良構造は、主に座体内のフレキシブルフラットケーブルコネクタを、座体内の可動座体上方に配置された固定フレーム上の回路板に接続し、座体を被覆するハウジングを押して下方向に移動させると、可動座体の一側の導通端子が導通部材に接触して、回路板とＬＥＤパネルが導通する。【選択図】図２
0003165416.tif 000002
【実用新案登録請求の範囲】
【請求項１】
プッシュスイッチの改良構造であって、
収容空間と収容槽が形成された座体と、
前記座体の収容空間内の一側上に嵌設された導通部材と、
前記座体の収容槽内に嵌設されたフレキシブルフラットケーブルコネクタと、
前記座体の収容空間内に設置され、その一側に複数の導通端子が設けられ、底部に弾性部材が設置された可動座体と、
前記座体上に設置された底蓋と、
前記可動座体上方に配置された固定フレームと、
前記固定フレームに設置された回路板と、
前記回路板の上方に設置された集光カバーと、
前記集光カバーの上方に設置されたＬＥＤパネルと、
前記座体上を被覆して設置されたハウジングと、
を含み、主に前記フレキシブルフラットケーブルコネクタを前記固定フレーム上の前記回路板に接続し、外力を加えて前記ハウジングを押すと、その内部の前記固定フレームが同時に前記可動座体を下方向に移動させ、前記可動座体の一側の導通端子が前記導通部材に接触して回路板とＬＥＤパネルを導通させるという目的を達することを特徴とする、プッシュスイッチの改良構造。
【請求項２】
請求項１に記載のプッシュスイッチの改良構造であって、前記座体の収容空間内に弾性部材を設置するための突起が設けられたことを特徴とする、プッシュスイッチの改良構造。
【請求項３】
請求項１に記載のプッシュスイッチの改良構造であって、前記座体の２つの相対する外側上にそれぞれ少なくとも１つの突起体を設けたことを特徴とする、プッシュスイッチの改良構造。
【請求項４】
請求項１に記載のプッシュスイッチの改良構造であって、前記可動座体の一側に凸端を設けたことを特徴とする、プッシュスイッチの改良構造。
【請求項５】
請求項１に記載のプッシュスイッチの改良構造であって、前記フレキシブルフラットケーブルコネクタの一端を前記回路板に接続したことを特徴とする、プッシュスイッチの改良構造。
【請求項６】
請求項１に記載のプッシュスイッチの改良構造であって、前記底蓋上に通孔を設け、かつ２つの相対する辺をそれぞれ延伸して係合部を設けたことを特徴とする、プッシュスイッチの改良構造。
【請求項７】
請求項１に記載のプッシュスイッチの改良構造であって、前記固定フレームの一側に連接端を設け、２つの相対する外側にそれぞれ少なくとも１つの凹部を設けたことを特徴とする、プッシュスイッチの改良構造。
【請求項８】
請求項１に記載のプッシュスイッチの改良構造であって、前記回路板上に少なくとも１つの発光素子を設置し、且つ前記発光素子がフルカラーＬＥＤであることを特徴とする、プッシュスイッチの改良構造。
【請求項９】
請求項１に記載のプッシュスイッチの改良構造であって、前記回路板上にさらにマイクロコントローラ装置と記憶素子を設置したことを特徴とする、プッシュスイッチの改良構造。
【請求項１０】
請求項１に記載のプッシュスイッチの改良構造であって、前記集光カバーとＬＥＤパネルの間にさらに光拡散板と蛍光板を設置したことを特徴とする、プッシュスイッチの改良構造。
【請求項１１】
請求項１に記載のプッシュスイッチの改良構造であって、前記ハウジング上に透明蓋体を嵌設し、内壁に複数の突起と複数の位置決め部材を設けたことを特徴とする、プッシュスイッチの改良構造。
【考案の詳細な説明】
【技術分野】
【０００１】
本考案はプッシュスイッチの構造改良に関し、特に、プッシュ方式で導通効果を達するスイッチ構造に関する。
【背景技術】
【０００２】
プッシュスイッチは往復移動の動作で導通のオン／オフを切り替えるため、弾性片または端子が長期間の往復移動の荷重と圧力を受けて、弾性疲労や断裂、接触不良といった状況の発生を引き起こし、プッシュスイッチ全体の使用寿命を大幅に低下させることがある。さらに、弾性片または導電端子はすべて内部に嵌設固定されており、そのうちのいずれかが破損したとき全部を廃棄しなければならず、局部部品の交換を行うことができない。
【考案の概要】
【考案が解決しようとする課題】
【０００３】
本考案の目的は、フレキシブルフラットケーブルを利用することで押圧の荷重程度が増加せず、導通部材３またはフレキシブルフラットケーブルコネクタが破損したときは、それらを座体から直接取り外して交換と修理ができる、プッシュスイッチを提供することにある。
【課題を解決するための手段】
【０００４】
本考案のプッシュスイッチは、主に座体内に設けたフレキシブルフラットケーブルコネクタを固定フレーム上の回路板に接続し、外力によりハウジングを押してその内部の固定フレームと可動座体を同時に下方向に移動させ、可動座体の一側の導通端子を導通部材に接触させて導通の効果を達すると共に、フレキシブルフラットケーブルコネクタのフラットケーブルは可撓性であるため、上下移動時にその形態を変化させることができ、ハウジングを押すとき、フレキシブルフラットケーブルの影響で押圧の荷重程度が増加するということがない。
【０００５】
本願の第１考案は、プッシュスイッチの改良構造であって、収容空間と収容槽が形成された座体と、前記座体の収容空間内の一側上に嵌設された導通部材と、前記座体の収容槽内に嵌設されたフレキシブルフラットケーブルコネクタと、前記座体の収容空間内に設置され、その一側に複数の導通端子が設けられ、底部に弾性部材が設置された可動座体と、前記座体上に設置された底蓋と、前記可動座体上方に配置された固定フレームと、前記固定フレームに設置された回路板と、前記回路板の上方に設置された集光カバーと、前記集光カバーの上方に設置されたＬＥＤパネルと、前記座体上を被覆して設置されたハウジングと、
を含み、主に前記フレキシブルフラットケーブルコネクタを前記固定フレーム上の前記回路板に接続し、外力を加えて前記ハウジングを押すと、その内部の前記固定フレームが同時に前記可動座体を下方向に移動させ、前記可動座体の一側の導通端子が前記導通部材に接触して回路板とＬＥＤパネルを導通させるという目的を達することを特徴とする、プッシュスイッチの改良構造を提供する。
本願の第２考案は、前記座体の収容空間内に弾性部材を設置するための突起が設けられたことを特徴とする、前記第１考案のプッシュスイッチの改良構造を提供する。
本願の第３考案は、前記座体の２つの相対する外側上にそれぞれ少なくとも１つの突起体を設けたことを特徴とする、前記第１考案のプッシュスイッチの改良構造を提供する。
本願の第４考案は、前記可動座体の一側に凸端を設けたことを特徴とする、前記第１考案のプッシュスイッチの改良構造を提供する。
本願の第５考案は、前記フレキシブルフラットケーブルコネクタの一端を前記回路板に接続したことを特徴とする、前記第１考案のプッシュスイッチの改良構造を提供する。
本願の第６考案は、前記底蓋上に通孔を設け、かつ２つの相対する辺をそれぞれ延伸して係合部を設けたことを特徴とする、前記第１考案のプッシュスイッチの改良構造を提供する。
本願の第７考案は、前記固定フレームの一側に連接端を設け、２つの相対する外側にそれぞれ少なくとも１つの凹部を設けたことを特徴とする、前記第１考案のプッシュスイッチの改良構造を提供する。
本願の第８考案は、前記回路板上に少なくとも１つの発光素子を設置し、且つ前記発光素子がフルカラーＬＥＤであることを特徴とする、前記第１考案のプッシュスイッチの改良構造を提供する。
本願の第９考案は前記回路板上にさらにマイクロコントローラ装置と記憶素子を設置したことを特徴とする、前記第１考案のプッシュスイッチの改良構造を提供する。
本願の第１０考案は、前記集光カバーとＬＥＤパネルの間にさらに光拡散板と蛍光板を設置したことを特徴とする、前記第１考案のプッシュスイッチの改良構造を提供する。
本願の第１１考案は、前記ハウジング上に透明蓋体を嵌設し、内壁に複数の突起と複数の位置決め部材を設けたことを特徴とする、前記第１考案のプッシュスイッチの改良構造を提供する。
【考案の効果】
【０００６】
本考案はフレキシブルフラットケーブルを利用することで押圧の荷重程度が増加せず、導通部材３またはフレキシブルフラットケーブルコネクタが破損したときは、それらを座体から直接取り外して交換したり、修理したりすることができる。
【図面の簡単な説明】
【０００７】
【図１】本考案の立体外観図である。
【図２】本考案の立体分解図である。
【図３】本考案の局部立体図１である。
【図４】本考案の局部立体図２である。
【図５】本考案の断面図である。
【図６】本考案の最良の実施例図１である。
【考案を実施するための形態】
【０００８】
図１、図２、図３、図４、図５、図６に本考案の立体外観図、立体分解図、局部立体図、断面図、最良の実施例図を示す。プッシュスイッチ１は、座体２、導通部材３、フレキシブルフラットケーブルコネクタ４、可動座体５、底蓋６、固定フレーム７、回路板７３、集光カバー８、ＬＥＤパネル８３、ハウジング９を含む。
【０００９】
前記座体２は収容空間２０と収容槽２２が形成され、そのうち収容空間２０に突起２１が設置され、突起２１上に弾性部材２４が設置されると共に、座体２の２つの相対する外側にそれぞれ少なくとも１つの突起体２３が設けられる。
【００１０】
前記導通部材３は前記座体２の収容空間２０内の一側上に嵌設され、導通部材３の一側に複数の導通端子３１が設置される。
【００１１】
前記フレキシブルフラットケーブルコネクタ４は前記座体２の収容槽２２内に嵌設される。
【００１２】
前記可動座体５は前記座体２の収容空間２０内に設置され、その一端を延伸して凸端５１が設けられ、一側に複数の導通端子５２が設置される。
【００１３】
前記底蓋６は、２つの相対する辺をそれぞれ延伸して係合部６１が設けられ、中央部分に通孔６２が形成される。前記係合部６１を前記座体２の突起体２３に係合させて底蓋６が前記座体２上に被着される。
【００１４】
前記固定フレーム７はその一側に穿通孔７０が形成され、フレキシブルフラットケーブルコネクタ４を前記穿通孔７０に穿通させて回路板７３に接続することができ、さらに一側に連接端７１が延伸して設けられ、前記連接端７１が前記底蓋６の通孔６２に穿設され、かつ前記可動座体５の凸端５１に連接され、また、固定フレーム７の２つの相対する外側にそれぞれ少なくとも１つの凹部７２が設けられる。
【００１５】
前記回路板７３は固定フレーム７に設置され、その上に少なくとも１つのフルカラーＬＥＤである発光素子７３１、マイクロコントローラ装置７３２、記憶素子７３３が設置される。
【００１６】
前記集光カバー８は前記回路板７３の上方に設置され、ＬＥＤパネル８３との間にさらに光拡散板８１と蛍光板８２が設置される。
【００１７】
前記ＬＥＤパネル８３は前記集光カバー８の上方に設置される。
【００１８】
前記ハウジング９は前記座体２上に被着され、その上に透明蓋体９１が嵌設され、内壁に複数の突起９２と複数の位置決め部材９３が設けられる。
【００１９】
底蓋６を座体２に被着した後、座体２内の可動座体５の凸端５１が底蓋６の通孔６２から突出し、固定フレーム７の２つの相対する外側に設けられた凹部７２とハウジング９内壁の突起９２を相互に嵌合させて、固定フレーム７とその上に設置された回路板７３、集光カバー８、光拡散板８１、蛍光板８２、ＬＥＤパネル８３をしっかりとハウジング９内に固定することができる。さらに、ハウジング９内壁に設けた複数の位置決め部材９３は、蛍光板８２とＬＥＤパネル８３がハウジング９内に配置された後、この位置決め部材９３によって蛍光板８２とＬＥＤパネル８３の辺縁を押さえ、位置決めと安定性向上の目的を達する。
【００２０】
可動座体５の凸端５１は固定フレーム７の連接端７１と連接されるため、外力でハウジング９が押されると、ハウジング９内の固定フレーム７が下方向に移動し、同時に可動座体５が下方向に移動して、可動座体５の一側の導通端子５２と導通部材３上の導通端子３１が接触し、プッシュスイッチ１の導通の目的を達することができる。固定フレーム７上の回路板７３は座体２内に設置されたフレキシブルフラットケーブルコネクタ４のフレキシブルフラットケーブルが固定フレーム７の穿通孔７０に穿通された後、回路板７３に接続されているため、回路板７３上に設置された発光素子７３１とＬＥＤパネル８３を共にフレキシブルフラットケーブルコネクタ４の提供する電力で動作させることができる。さらに、フレキシブルフラットケーブルコネクタ４そのもののフレキシブルフラットケーブルが可撓性であり、且つＵ字形の設計であるため、プッシュスイッチ１が押圧されて動作するとき、フレキシブルフラットケーブルの影響で押圧の荷重程度が増加するということがない。
【００２１】
発光素子７３１が発光すると、発せられた光線が集光カバー８によってこの集光カバー８の範囲内に集められ、かつ集光カバー８の４面を介して光線が平均的に射出され、最後に光拡散板８１と蛍光板８２に照射して拡散された上で射出される。このほか、回路板７３上の記憶素子７３３は主に制御プログラムを保存することができ、かつマイクロコントローラ装置７３２によって発光素子７３１を制御して異なる色を発生させ、ＬＥＤパネル８３に表示する文字や符号に組み合わせることができる。
【００２２】
導通部材３とフレキシブルフラットケーブルコネクタ４は嵌入方式で座体２内に設置され、座体２から直接取り外すことができるため、導通部材３またはフレキシブルフラットケーブルコネクタ４が破損したとき、それを座体２から直接取り外すだけで、座体２全体を廃棄する必要なく、交換と修理の目的を達することができる。透明蓋体９１はインサート射出成型方式でハウジング９上に設置し、ハウジング９全体を完全密閉状態として、効果的に防水性を達することができる。
【符号の説明】
【００２３】
１        プッシュスイッチ
２        座体
２０      収容空間
２１      突起
２２      収容槽
２３      突起体
２４      弾性部材
３        導通部材
３１      導通端子
４        フレキシブルフラットケーブルコネクタ
５        可動座体
５１      凸端
５２      導通端子
６        底蓋
６１      係合部
６２      通孔
７        固定フレーム
７０      穿通孔
７１      連接端
７２      凹部
７３      回路板
７３１    発光素子
７３２    マイクロコントローラ装置
７３３    記憶素子
８        集光カバー
８１      光拡散板
８２      蛍光板
８３      ＬＥＤパネル
９        ハウジング
９１      透明蓋体
９２      突起
９３      位置決め部材
【図１】
0003165416.tif 000003
【図２】
0003165416.tif 000004
【図３】
0003165416.tif 000005
【図４】
0003165416.tif 000006
【図５】
0003165416.tif 000007
【図６】
0003165416.tif 000008